(57)【要約】【課題】伝熱管として扁平形状の扁平管が用いられる場合において冷媒を適切に分配して流すことが可能な熱交換器および空気調和装置を提供する。【解決手段】内部を流れる冷媒と外部を流れる空気との間で熱交換させる室内熱交換器５１であって、室内風上扁平管８１と、室内風上扁平管８１に対して空気流れ方向における下流側に位置する第１室内風下扁平管８２と第２室内風下扁平管８３と、室内風上扁平管８１を通過した冷媒を第１室内風下扁平管８２と第２室内風下扁平管８３に分配する分配空間７０ｘを形成する仕切板７３を有する分配ヘッダ７０と、を備えている。【選択図】図１３
2019128041.tif 000002
【特許請求の範囲】
【請求項１】
内部を流れる冷媒と外部を流れる空気との間で熱交換させる熱交換器（５１、１５１、２５１、３５１、４５１、５５１）であって、
１又は２以上の上流側扁平管（８１、１８１、５８１ａ、５８１ｂ）と、
前記上流側扁平管に対して空気流れ方向における下流側に位置する２以上の下流側扁平管（８２、８３、５８２ａ、５８２ｂ、５８３ａ、５８３ｂ）と、
前記上流側扁平管を通過した冷媒を２以上の前記下流側扁平管に分配する分配空間（７０ｘ、２７０ｘ、３７０ｘ、４７０ｘ、８２ｚ、８３ｚ）を形成する空間形成部材（７０、７３、２７３、３７３、４７３、５７３ａ、５７３ｂ）と、
を備える熱交換器。
【請求項２】
前記分配空間は、前記上流側扁平管を通過した冷媒を折り返して前記下流側扁平管に導く、
請求項１に記載の熱交換器。
【請求項３】
前記分配空間を内部に有し、前記空間形成部材を含んで構成されるヘッダ（７０）をさらに備え、
前記上流側扁平管および前記下流側扁平管は、前記ヘッダに接続されている、
請求項１または２に記載の熱交換器。
【請求項４】
前記分配空間に接続されている扁平管が空気流れ方向視において互いに重ならない位置に配置されている部分を含んでいる、
請求項１から３のいずれか１項に記載の熱交換器。
【請求項５】
前記下流側扁平管は、少なくとも、第１下流側扁平管と、前記第１下流側扁平管よりも空気流れ方向における下流側に位置する第２下流側扁平管と、を有している、
請求項１から４のいずれか１項に記載の熱交換器。
【請求項６】
前記分配空間は、前記上流側扁平管を通過した冷媒を前記第１下流側扁平管に導く第１連通路（３８２）と、前記第２下流側扁平管に導く第２連通路（３８３）と、を有しており、
前記第１連通路の流路が前記第２連通路の流路よりも広い、
請求項５に記載の熱交換器（３５１）。
【請求項７】
前記分配空間は、前記上流側扁平管を通過した冷媒を前記第１下流側扁平管に導く第１連通路（４８２）と、前記第２下流側扁平管に導く第２連通路（４８３）と、を有しており、
前記第１連通路の流路の入口（８２ｙ）は、前記第２連通路の流路の入口（８３ｙ）より低い高さ位置に設けられている、
請求項５に記載の熱交換器（４５１）。
【請求項８】
前記分配空間には、前記第２下流側扁平管と、前記第２下流側扁平管よりも低い高さ位置に設けられている前記第１下流側扁平管と、が接続されている、
請求項５から７のいずれか１項に記載の熱交換器。
【請求項９】
前記上流側扁平管は、扁平部分が互いに対向するように複数並んで設けられており、
前記第１下流側扁平管は、扁平部分が互いに対向するように複数並んで設けられており、
前記第２下流側扁平管は、扁平部分が互いに対向するように複数並んで設けられており、
前記分配空間は、複数の前記上流側扁平管が並ぶ方向に複数並んで設けられている、
請求項５から８のいずれか１項に記載の熱交換器。
【請求項１０】
前記上流側扁平管は、扁平部分が互いに対向するように並んだ第１上流側扁平管（５８１ａ）と第２上流側扁平管（５８１ｂ）とを有しており、
前記分配空間は、前記第１上流側扁平管を通過した冷媒を前記下流側扁平管（５８２ａ、５８２ｂ）に導く第１分配空間（８２ｚ）と、前記第２上流側扁平管を通過した冷媒を前記第１分配空間とは独立して前記下流側扁平管（５８３ａ、５８３ｂ）に導く第２分配空間（８３ｚ）と、を有し、
前記第１分配空間に接続される前記第１下流側扁平管の本数が、前記第２分配空間に接続される前記第１下流側扁平管の本数よりも多い部分を含む、
請求項５から９のいずれか１項に記載の熱交換器（５５１）。
【請求項１１】
請求項１から１０のいずれか１項に記載の熱交換器と、
前記熱交換器に空気流れを供給するファン（５２）と、
を備えた空気調和装置（１）。
【発明の詳細な説明】
【技術分野】
【０００１】
本開示は、熱交換器および空気調和装置に関する。
【背景技術】
【０００２】
従来より、例えば、特許文献１（国際公開第２０１０／１４６８５２号）に記載されている熱交換器のように、空気流れ方向に並んだ３列の伝熱管と、列を跨ぐように伝熱管同士を接続する分岐した接続配管と、を有しているものがある。
【発明の概要】
【発明が解決しようとする課題】
【０００３】
ところが、上記熱交換器は、冷媒が流れる伝熱管として円筒形状のものが用いられている。このため、熱交換器の伝熱管として扁平形状の扁平管が用いられた場合の、列間の冷媒の分配については、なんら検討されていない。
【０００４】
本開示は、上述した点に鑑みてなされたものであり、本開示における課題は、伝熱管として扁平形状の扁平管が用いられる場合において冷媒を適切に分配して流すことが可能な熱交換器および空気調和装置を提供することにある。
【課題を解決するための手段】
【０００５】
第１観点に係る熱交換器は、内部を流れる冷媒と外部を流れる空気との間で熱交換させる熱交換器であって、１又は２以上の上流側扁平管と、上流側扁平管に対して空気流れ方向における下流側に位置する２以上の下流側扁平管と、空間形成部材と、を備えている。空間形成部材は、上流側扁平管を通過した冷媒を２以上の下流側扁平管に分配する分配空間を形成する。
【０００６】
この熱交換器では、空間形成部材が形成する分配空間により、上流側扁平管を通過した冷媒を２以上の下流側扁平管に分配することができるため、伝熱管として扁平形状の扁平管が用いられる場合において冷媒を適切に分配して流すことが可能になる。
【０００７】
第２観点に係る熱交換器は、第１観点に係る熱交換器であって、分配空間は、上流側扁平管を通過した冷媒を折り返して下流側扁平管に導く。
【０００８】
この熱交換器では、上流側扁平管を通過して分配空間に達した冷媒を、折り返して下流側扁平管に導くことが可能になる。
【０００９】
第３観点に係る熱交換器は、第１観点または第２観点に係る熱交換器であって、ヘッダをさらに備えている。ヘッダは、分配空間を内部に有している。ヘッダは、空間形成部材を含んで構成されている。上流側扁平管および下流側扁平管は、ヘッダに接続されている。
【００１０】
この熱交換器では、上流側扁平管および下流側扁平管を、分配空間を内部に有して空間形成部材を含んで構成されるヘッダに接続させることで、上流側扁平管を流れた冷媒を下流側扁平管に適切に分配して流すことが可能になる。
【００１１】
第４観点に係る熱交換器は、第１観点から第３観点のいずれかに係る熱交換器であって、分配空間に接続されている扁平管が空気流れ方向視において互いに重ならない位置に配置されている部分を含んでいる。
【００１２】
当該扁平管には、上流側扁平管および下流側扁平管が含まれていてもよい。
【００１３】
この熱交換器では、分配空間に接続されている扁平管が空気流れ方向視において互いに重ならない位置に配置されている部分を含んでいるため、当該部分における扁平管に対して十分に空気を当てることが可能になる。
【００１４】
第５観点に係る熱交換器は、第１観点から第４観点のいずれかに係る熱交換器であって、下流側扁平管は、少なくとも、第１下流側扁平管と、第１下流側扁平管よりも空気流れ方向における下流側に位置する第２下流側扁平管と、を有している。
【００１５】
この熱交換器では、空気流れ方向において異なる列に属する第１下流側扁平管と第２下流側扁平管に対して適切に冷媒を分配することが可能になる。
【００１６】
第６観点に係る熱交換器は、第５観点に係る熱交換器であって、分配空間は、上流側扁平管を通過した冷媒を第１下流側扁平管に導く第１連通路と、第２下流側扁平管に導く第２連通路と、を有している。第１連通路の流路が第２連通路の流路よりも広い。
【００１７】
この熱交換器では、上流側扁平管を通過した冷媒を第１下流側扁平管に導く第１連通路の方が、第２下流側扁平管に導く第２連通路よりも広い流路を有している。このため、上流側扁平管を通過した冷媒は第１下流側扁平管に導かれやすい。
【００１８】
第７観点に係る熱交換器は、第５観点に係る熱交換器であって、分配空間は、上流側扁平管を通過した冷媒を第１下流側扁平管に導く第１連通路と、第２下流側扁平管に導く第２連通路と、を有している。第１連通路の流路の入口は、第２連通路の流路の入口より低い高さ位置に設けられている。
【００１９】
この熱交換器では、上流側扁平管を通過した冷媒を第１下流側扁平管に導く第１連通路の入口の方が、第２下流側扁平管に導く第２連通路の入口よりも低い高さ位置に設けられている。このため、上流側扁平管を通過した気液二相状態の冷媒は第１下流側扁平管に導かれやすい。
【００２０】
第８観点に係る熱交換器は、第５観点から第７観点のいずれかに係る熱交換器であって、分配空間には、第２下流側扁平管と、第２下流側扁平管よりも低い高さ位置に設けられている第１下流側扁平管と、が接続されている。
【００２１】
なお、各分流空間が、その上端及び下端が同じ高さ位置で空気流れ方向に延びるように形成されていることが好ましい。
【００２２】
この熱交換器では、第１下流側扁平管の方が第２下流側扁平管よりも低い高さ位置であって空気流れ方向の上流側に設けられている。このため、上流側扁平管を通過した気液二相状態の冷媒は第１下流側扁平管に導かれやすい。
【００２３】
第９観点に係る熱交換器は、第５観点から第８観点のいずれかに係る熱交換器であって、上流側扁平管は、扁平部分が互いに対向するように複数並んで設けられている。第１下流側扁平管は、扁平部分が互いに対向するように複数並んで設けられている。第２下流側扁平管は、扁平部分が互いに対向するように複数並んで設けられている。分配空間は、複数の上流側扁平管が並ぶ方向に複数並んで設けられている。
【００２４】
この熱交換器では、分配空間は、複数の上流側扁平管が並ぶ方向に複数並んで設けられている。このため、各分流空間それぞれにおいて、上流側扁平管を通過した冷媒を２以上の下流側扁平管に対して適切に分配して流すことが可能になる。
【００２５】
第１０観点に係る熱交換器は、第５観点から第９観点のいずれかに係る熱交換器であって、上流側扁平管は、扁平部分が互いに対向するように並んだ第１上流側扁平管と第２上流側扁平管とを有している。分配空間は、第１上流側扁平管を通過した冷媒を下流側扁平管に導く第１分配空間と、第２上流側扁平管を通過した冷媒を第１分配空間とは独立して下流側扁平管に導く第２分配空間と、を有している。第１分配空間に接続される第１下流側扁平管の本数が、第２分配空間に接続される第１下流側扁平管の本数よりも多い部分を含んでいる。
【００２６】
なお、この熱交換器では、第１分配空間に接続される第１下流側扁平管の本数が第２分配空間に接続される第１下流側扁平管の本数よりも多い部分は熱交換器全体のうちの一部であってもよい。
【００２７】
この熱交換器では、熱交換器に対して供給される空気流れの風速が一様ではなく風速分布を有しており、第１上流側扁平管を通過する空気流れの風速が第２上流側扁平管を通過する空気流れの風速よりも小さい環境下で用いられた場合であっても、熱交換器の性能を向上できる。
【００２８】
第１１観点に係る空気調和装置は、第１観点から第１０観点のいずれかに係る熱交換器と、熱交換器に空気流れを供給するファンと、を備えている。
【００２９】
この空気調和装置では、伝熱管として扁平形状の扁平管が用いられる場合において、上流側扁平管を通過した冷媒を、ファンにより形成される空気流れ方向における下流側に位置する２以上の下流側扁平管に対して適切に分配して流すことが可能になる。
【図面の簡単な説明】
【００３０】
【図１】空気調和装置の概略構成図である。
【図２】室外ユニットの概略外観斜視図である。
【図３】室外ユニットの平面視概略構成図である。
【図４】室外熱交換器の概略外観斜視図である。
【図５】室外フィンと室外扁平管との位置関係を示す説明図である。
【図６】室内ユニットの概略外観斜視図である。
【図７】室内ユニットの平面視概略構成図である。
【図８】室内ユニットの図７のＡ−Ａ断面における側面視概略構成図である。
【図９】室内熱交換器の概略外観斜視図である。
【図１０】室内フィンと室内風上扁平管、第１室内風下扁平管、第２室内風下扁平管との位置関係を示す説明図である。
【図１１】分配ヘッダ近傍の部分分解概略斜視図（室内フィンは省略）である。
【図１２】分配ヘッダ近傍を空気流れ方向視における概略配置構成図（室内フィンは省略）である。
【図１３】分配ヘッダ近傍を室内風上扁平管、第１室内風下扁平管、第２室内風下扁平管の各流路が延びる方向から見た概略配置構成図である。
【図１４】変形例Ａに係る室内熱交換器について、分配ヘッダ近傍を室内扁平管の流路が延びる方向から見た概略配置構成図である。
【図１５】変形例Ｂに係る室内熱交換器について、分配ヘッダ近傍を室内扁平管の流路が延びる方向から見た概略配置構成図である。
【図１６】変形例Ｃに係る室内熱交換器について、分配ヘッダ近傍を室内扁平管の流路が延びる方向から見た概略配置構成図である。
【図１７】変形例Ｄに係る室内熱交換器について、分配ヘッダ近傍を室内扁平管の流路が延びる方向から見た概略配置構成図である。
【図１８】変形例Ｅに係る室内熱交換器について、分配ヘッダ近傍を室内扁平管の流路が延びる方向から見た概略配置構成図である。
【発明を実施するための形態】
【００３１】
（１）空気調和装置の構成
図１に、空気調和装置１の概略構成図を示す。
【００３２】
空気調和装置１は、蒸気圧縮式の冷凍サイクルを行うことによって、建物等の室内の冷房および暖房を行うことが可能な装置である。
【００３３】
空気調和装置１は、主として、室外ユニット２と、室内ユニット３と、室外ユニット２と室内ユニット３とを接続する冷媒経路である液冷媒連絡管４およびガス冷媒連絡管５と、を有している。そして、空気調和装置１の蒸気圧縮式の冷媒回路６は、室外ユニット２と、室内ユニット３とが冷媒連絡管４、５を介して接続されることによって構成されている。冷媒連絡管４、５は、空気調和装置１を建物等の設置場所に設置する際に、現地にて施工される冷媒管である。特に限定されないが、本実施形態では、当該冷媒回路６に作動冷媒としてＲ３２が充填されている。
【００３４】
（２）室外ユニット
（２−１）室外ユニットの概略構成
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、ケーシング４０と、を有している。
【００３５】
アキュムレータ７は、ガス冷媒を圧縮機に供給するための容器であり、圧縮機８の吸入側に設けられている。
【００３６】
圧縮機８は、低圧のガス冷媒を吸入し、圧縮して高圧のガス冷媒を吐出する。
【００３７】
室外熱交換器１１は、冷房運転時には圧縮機８から吐出された冷媒の放熱器として機能し、暖房運転時には室内熱交換器５１から送られてくる冷媒の蒸発器として機能する熱交換器である。室外熱交換器１１は、その液側が室外膨張弁１２に接続されており、ガス側が四路切換弁１０に接続されている。
【００３８】
室外膨張弁１２は、冷房運転時には室外熱交換器１１において放熱された冷媒を室内熱交換器５１に送る前に減圧し、暖房運転時には室内熱交換器５１において放熱された冷媒を室外熱交換器１１に送る前に減圧することが可能な電動膨張弁である。
【００３９】
室外ユニット２の液側閉鎖弁１３には、液冷媒連絡管４の一端が接続されている。室外ユニット２のガス側閉鎖弁１４には、ガス冷媒連絡管５の一端が接続されている。
【００４０】
室外ユニット２の各機器および弁間は、冷媒管１６〜２２によって接続されている。
【００４１】
四路切換弁１０は、圧縮機８の吐出側が室外熱交換器１１側に接続されるとともに圧縮機８の吸入側がガス側閉鎖弁１４側に接続される状態（図１における四路切換弁１０の実線を参照）と、圧縮機８の吐出側がガス側閉鎖弁１４側に接続されるとともに圧縮機８の吸入側が室外熱交換器１１側に接続される状態（図１における四路切換弁１０の破線を参照）と、を切り換えることにより、後述する冷房運転の接続状態と暖房運転の接続状態とを切り換える。
【００４２】
室外ファン１５は、室外ユニット２の内部に配置され、室外空気を吸入して、室外熱交換器１１に室外空気を供給した後に、ユニット外に排出する空気流れ（図３において矢印で示す。）を形成する。このように、室外ファン１５によって供給される室外空気は、室外熱交換器１１の冷媒との熱交換における冷却源又は加熱源として用いられる。
【００４３】
ケーシング４０は、図２の室外ユニット２の概略外観斜視図および図３の室外ユニット２の平面視概略構成図に示すように、主として、底フレーム４０ａと、天板４０ｂと、左前板４０ｃと、右前板４０ｄと、右側板４０ｅとを有している。底フレーム４０ａは、ケーシング４０の底面部分を構成する横長の略長方形状の板状部材であり、下面に固定された固定脚４１によって現地設置面に設置される。天板４０ｂは、ケーシング４０の天面部分を構成する横長の略長方形状の板状部材である。左前板４０ｃは、主として、ケーシング４０の左正面部分及び左側面部分を構成する板状部材であり、室外ファン１５によって背面側及び左側面側からケーシング４０内に取り込まれた空気を前面側に吹き出すための吹出口が、上下に２つ並んで形成されている。各吹出口には、それぞれにファングリル４２が設けられている。右前板４０ｄは、主として、ケーシング４０の右正面部分及び右側面の前部を構成する板状部材である。右側板４０ｅは、主として、ケーシング４０の右側面の後部及び右背面部分を構成する板状部材である。
【００４４】
なお、ケーシング４０内には、室外ファン１５等が配置される送風機室と、圧縮機８等が配置される機械室と、を仕切る仕切板４３が設けられている。
【００４５】
（２−２）室外熱交換器の概略構造
図４に、室外熱交換器１１の概略外観斜視図を示す。
【００４６】
室外熱交換器１１は、主として、ガス側分流器２３と、液側分流器２４と、複数の流入側折返し部材２５と、複数の反流入側折返し部材２６と、複数の室外扁平管９０と、複数の室外フィン９１と、を有している。ここでは、室外熱交換器１１を構成するこれらのすべてが、アルミニウムまたはアルミニウム合金で形成されており、互いにロウ付け等によって接合されている。
【００４７】
複数の室外扁平管９０は、上下に並んで配置されている。
【００４８】
複数の室外フィン９１は、室外扁平管９０に沿うようにして、板厚方向に並べられており、複数の室外扁平管９０に対して固定されている。
【００４９】
ガス側分流器２３は、冷媒管１９と、複数の室外扁平管９０のうちの上方に配置されているものと、に接続されている。室外熱交換器１１が冷媒の放熱器として機能する際には、冷媒管１９から室外熱交換器１１に流入した冷媒を、複数の高さ位置に分流して、複数の室外扁平管９０のうちの上方に配置されているものに送る。
【００５０】
液側分流器２４は、冷媒管２０と、複数の室外扁平管９０のうちの下方に配置されているものと、に接続されている。室外熱交換器１１が冷媒の放熱器として機能する際には、複数の室外扁平管９０のうちの下方に配置されているものから流れ込んだ冷媒を合流させ、冷媒管２０を介して室外熱交換器１１の外部に流出させる。
【００５１】
複数の流入側折返し部材２５は、ガス側分流器２３と液側分流器２４の間に配置されており、互いに異なる高さ位置に設けられた室外扁平管９０の端部同士を接続する。
【００５２】
反流入側折返し部材２６と、室外熱交換器１１のうち、ガス側分流器２３と液側分流器２４と複数の流入側折返し部材２５が設けられている側の端部とは反対側の端部に設けられており、互いに異なる高さ位置に設けられた室外扁平管９０の端部同士を接続する。
【００５３】
このように、室外熱交換器１１では、複数の流入側折返し部材２５や反流入側折返し部材２６が設けられていることで、室外熱交換器１１の両端で冷媒を折返しながら冷媒を流すことが可能になっている。
【００５４】
（２−３）室外扁平管
図５に、室外扁平管９０の内部の流路９０ｃが延びる方向に垂直な断面で切断した状態で、当該流路９０ｃが延びる方向から見た室外フィン９１と室外扁平管９０との位置関係を示す。
【００５５】
室外扁平管９０は、鉛直上方を向いて上面を構成している上側扁平面９０ａと、鉛直下方を向いて下面を構成している下側扁平面９０ｂと、冷媒が流れる多数の小さな流路９０ｃを有している。室外扁平管９０が有する複数の流路９０ｃは、空気流れ方向（図５において矢印で示す。流路９０ｃの流路断面視における室外扁平管９０の長手方向）に並んで設けられている。
【００５６】
（２−４）室外フィン
室外フィン９１は、空気流れ方向および上下方向に広がる板状部材であり、板厚方向に所定の間隔で複数配置されており、室外扁平管９０に固定されている。
【００５７】
室外フィン９１は、室外連通部９７ａ、複数の風下部９７ｂ、ワッフル部９３、風上側フィンタブ９４ａ、風下側フィンタブ９４ｂ、室外スリット９５、風上側リブ９６ａ、風下側リブ９６ｂ等を有している。
【００５８】
室外連通部９７ａは、室外フィン９１のうち、室外扁平管９０の風上側端部よりも更に風上側において、上下方向に連続した部分である。
【００５９】
複数の風下部９７ｂは、室外連通部９７ａにおける異なる高さ位置から、空気流れ方向下流側に向けて伸び出している。なお、各風下部９７ｂは、上下に隣り合う室外扁平管９０によって上下方向から囲まれている。
【００６０】
ワッフル部９３は、室外フィン９１のうち空気流れ方向の中央近傍に形成されており、板厚方向における隆起部分と非隆起部分を含んで構成されている。
【００６１】
風上側フィンタブ９４ａおよび風下側フィンタブ９４ｂは、室外フィン９１同士の間隔を規制するために、それぞれ風上側端部近傍と風下側端部近傍に設けられている。
【００６２】
室外スリット９５は、室外フィン９１における伝熱性能を向上させるために平坦部分から板厚方向に切り起こされて構成された部分であり、ワッフル部９３の空気流れ方向下流側に形成されている。室外スリット９５は、その長手方向が上下方向（室外扁平管９０の配列方向）となるように形成されており、空気流れ方向に複数（本実施形態では２つ）が並ぶように形成されている。
【００６３】
風上側リブ９６ａは、風上側フィンタブ９４ａの上下において、互いに上下に隣り合う室外扁平管９０同士の間で、空気流れ方向に延びるように形成されている。風下側リブ９６ｂは、風上側リブ９６ａの風下側端部から連続してさらに風下側に延びるように設けられている。
【００６４】
（３）室内ユニット
（３−１）室内ユニットの概略構成
図６に、室内ユニット３の外観斜視図を示す。図７に、室内ユニット３の天板を取り除いた状態を示す概略平面図を示す。図８に、図７中にＡ−Ａで示す切断面における室内ユニット３の概略側面断面図を示す。
【００６５】
室内ユニット３は、本実施形態では、空調対象空間である室内等の天井に設けられた開口に埋め込まれることで設置されるタイプの室内機であり、冷媒回路６の一部を構成している。室内ユニット３は、主として、室内熱交換器５１と、室内ファン５２と、ケーシング３０と、フラップ３９と、ベルマウス３３と、ドレンパン３２と、を有している。
【００６６】
室内熱交換器５１は、冷房運転時には室外熱交換器１１から送られてくる冷媒の蒸発器として機能し、暖房運転時には圧縮機８から吐出された冷媒の放熱器として機能する熱交換器である。室内熱交換器５１は、その液側が液冷媒連絡管４の室内側端部に接続されており、ガス側がガス冷媒連絡管５の室内側端部に接続されている。
【００６７】
室内ファン５２は、室内ユニット３のケーシング本体３１の内部に配置された遠心送風機である。室内ファン５２は、室内の空気を化粧パネル３５の吸込口３６を通じてケーシング３０内に吸入し、室内熱交換器５１を通過させた後、化粧パネル３５の吹出口３７を通じてケーシング３０外へ吹き出す空気流れ（図８において矢印で示す。）を形成する。このように、室内ファン５２によって供給される室内空気は、室内熱交換器５１の冷媒と熱交換することにより温度が調節される。
【００６８】
ケーシング３０は、ケーシング本体３１と、化粧パネル３５と、を主として有している。
【００６９】
ケーシング本体３１は、空調室の天井Ｕに形成された開口に挿入されるようにして配置されており、その平面視において、長辺と短辺とが交互に形成された略８角形状の箱状体であり、下面が開口している。このケーシング本体３１は、天板および天板の周縁部から下方に延びる複数の側板を有している。
【００７０】
化粧パネル３５は、天井Ｕの開口に嵌め込まれるようにして配置されており、ケーシング本体３１の天板および側板よりも平面視における外側に広がっており、ケーシング本体３１の下方に室内側から取り付けられる。化粧パネル３５は、内枠３５ａと外枠３５ｂを有している。内枠３５ａの内側には、下方に向けて開口した略四角形状の吸込口３６が形成されている。吸込口３６の上方には、吸込口３６から吸入された空気中の塵埃を除去するためのフィルタ３４が設けられている。外枠３５ｂの内側であって内枠３５ａの外側には、下方から斜め下方に向けて開口した吹出口３７と角部吹出口３８が形成されている。吹出口３７は、化粧パネル３５の平面視における略四角形状の各辺に対応する位置に、第１吹出口３７ａと、第２吹出口３７ｂと、第３吹出口３７ｃと、第４吹出口３７ｄと、を有している。角部吹出口３８は、化粧パネル３５の平面視における略四角形状の４角に対応する位置に、第１角部吹出口３８ａと、第２角部吹出口３８ｂと、第３角部吹出口３８ｃと、第４角部吹出口３８ｄと、を有している。
【００７１】
フラップ３９は、吹出口３７を通過する空気流れの方向を変更可能な部材である。フラップ３９は、第１吹出口３７ａに配置される第１フラップ３９ａと、第２吹出口３７ｂに配置される第２フラップ３９ｂと、第３吹出口３７ｃに配置される第３フラップ３９ｃと、第４吹出口３７ｄに配置される第４フラップ３９ｄと、を有している。各フラップ３９ａ〜ｄは、ケーシング３０の所定の位置において回動可能に軸支されている。
【００７２】
ドレンパン３２は、室内熱交換器５１の下側に配置され、室内熱交換器５１において空気中の水分が凝縮して生じるドレン水を受けとる。このドレンパン３２は、ケーシング本体３１の下部に装着されている。ドレンパン３２には、平面視において、室内熱交換器５１の内側において上下方向に伸びた円筒形状の空間が形成されており、当該空間の内側下方にベルマウス３３が配置されている。ベルマウス３３は、吸込口３６から吸入される空気を室内ファン５２に案内する。また、ドレンパン３２には、平面視において、室内熱交換器５１の外側において上下方向に伸びた複数の吹出流路４７ａ〜ｄ、角部吹出流路４８ａ〜ｃが形成されている。吹出流路４７ａ〜ｄは、下端において第１吹出口３７ａと連通する第１吹出流路４７ａと、下端において第２吹出口３７ｂと連通する第２吹出流路４７ｂと、下端において第３吹出口３７ｃと連通する第３吹出流路４７ｃと、下端において第４吹出口３７ｄと連通する第４吹出流路４７ｄと、を有している。角部吹出流路４８ａ〜ｃは、下端において第１角部吹出口３８ａと連通する第１角部吹出流路４８ａと、下端において第２角部吹出口３８ｂと連通する第２角部吹出流路４８ｂと、下端において第３角部吹出口３８ｃと連通する第３角部吹出流路４８ｃと、を有している。
【００７３】
（３−２）室内熱交換器の概略構造
図９に、室内熱交換器５１の概略外観斜視図を示す。図１０に、室内風上扁平管８１の内部の流路８１ｃ、第１室内風下扁平管８２の内部の流路８２ｃ、第２室内風下扁平管８３の内部の流路８３ｃが延びる方向に垂直な断面で切断した状態で、当該流路８１ｃ、８２ｃ、８３ｃが延びる方向から見た室内フィン６０と室内風上扁平管８１、第１室内風下扁平管８２、第２室内風下扁平管８３との位置関係を示す。図１１に、分配ヘッダ７０近傍の部分分解概略斜視図（室内フィン６０は省略）を示す。図１２に、分配ヘッダ７０近傍を空気流れ方向視における概略配置構成図（室内フィン６０は省略）を示す。図１３に、分配ヘッダ７０近傍を室内風上扁平管８１の内部の流路８１ｃ、第１室内風下扁平管８２の内部の流路８２ｃ、第２室内風下扁平管８３の内部の流路８３ｃが延びる方向から見た概略配置構成図を示す。
【００７４】
室内熱交換器５１は、室内ファン５２と同一高さ位置においてその周囲を囲むように曲げられた状態で、ケーシング本体３１の内部に配置されている。この室内熱交換器５１は、主として、液側ヘッダ５６と、第１ガス側ヘッダ５７と、第２ガス側ヘッダ５８と、複数の室内扁平管８０と、複数の室内フィン６０と、分配ヘッダ７０と、を有している。ここでは、室内熱交換器５１を構成するこれらのすべてが、アルミニウムまたはアルミニウム合金で形成されており、互いにロウ付け等によって接合されている。
【００７５】
なお、室内熱交換器５１は、空気流れ方向における風上側を構成する風上熱交換部５１ａ（平面視における内側部分）と、空気流れ方向における風下側を構成する第２風下熱交換部５１ｃ（平面視における外側部分）と、空気流れ方向における風上熱交換部５１ａと風下熱交換部５１ｃとの間の部分を構成する第１風下熱交換部５１ｂと、を有している。
【００７６】
液側ヘッダ５６は、室内熱交換器５１のうち風上熱交換部５１ａの平面視における一端を構成しており、上下方向に延びた円筒形状部材である。液側ヘッダ５６には、液冷媒連絡管４の室内側の端部が接続されている。さらに、液側ヘッダ５６には、室内熱交換器５１のうち風上熱交換部５１ａを構成している室内扁平管８０（室内風上扁平管８１）が上下に並んで複数接続されている。
【００７７】
第１ガス側ヘッダ５７は、室内熱交換器５１のうち第１風下熱交換部５１ｂの平面視における一端を構成しており、上下方向に延びた円筒形状部材である。第１ガス側ヘッダ５７には、ガス冷媒連絡管５の室内側の端部が分岐した第１ガス冷媒連絡管５ａが接続されている。さらに、第１ガス側ヘッダ５７には、室内熱交換器５１のうち第１風下熱交換部５１ｂを構成している室内扁平管８０（第１室内風下扁平管８２）が上下に並んで複数接続されている。
【００７８】
第２ガス側ヘッダ５８は、室内熱交換器５１のうち第２風下熱交換部５１ｃの平面視における一端を構成しており、上下方向に延びた円筒形状部材である。第２ガス側ヘッダ５８には、ガス冷媒連絡管５の室内側の端部が分岐した第２ガス冷媒連絡管５ｂが接続されている。さらに、第２ガス側ヘッダ５８には、室内熱交換器５１のうち第２風下熱交換部５１ｃを構成している室内扁平管８０（第２室内風下扁平管８３）が上下に並んで複数接続されている。
【００７９】
（３−３）室内扁平管
複数の室内扁平管８０は、風上熱交換部５１ａを構成している室内風上扁平管８１と、第１風下熱交換部５１ｂを構成している第１室内風下扁平管８２と、第２風下熱交換部５１ｃを構成している第２室内風下扁平管８３と、を含んで構成されている。すなわち、複数の室内扁平管８０は、室内熱交換器５１のうちの風上熱交換部５１ａにおいて上下方向に複数並んで配置された室内風上扁平管８１と、室内熱交換器５１のうちの第１風下熱交換部５１ｂにおいて上下方向に複数並んで配置された第１室内風下扁平管８２と、室内熱交換器５１のうちの第２風下熱交換部５１ｃにおいて上下方向に複数並んで配置された第２室内風下扁平管８３と、を含んでいる。このように空気流れ方向において３つ以上の熱交換部（室内扁平管８０）を並べて配置させることで、室内熱交換器５１の能力を十分に高めることが可能になる。風上熱交換部５１ａを構成する複数の室内風上扁平管８１は、それぞれ、一端が液側ヘッダ５６に接続されており、他端が分配ヘッダ７０の風上側部分に接続されている。第２風下熱交換部５１ｃを構成する複数の第２室内風下扁平管８３は、それぞれ、一端が第２ガス側ヘッダ５８に接続されており、他端が分配ヘッダ７０の風下側部分に接続されている。第１風下熱交換部５１ｂを構成する複数の第１室内風下扁平管８２は、それぞれ、一端が第１ガス側ヘッダ５７に接続されており、他端が分配ヘッダ７０のうち室内風上扁平管８１の接続部分と第２室内風下扁平管８３の接続部分との間の部分に接続されている。
【００８０】
本実施形態の室内熱交換器５１では、室内風上扁平管８１同士の高さ方向のピッチと第１室内風下扁平管８２同士の高さ方向のピッチと第２室内風下扁平管８３同士の高さ方向のピッチはいずれも等しい。本実施形態の室内熱交換器５１では、空気流れ方向視において、室内風上扁平管８１と第２室内風下扁平管８３とが互いに重なるように配置されており、室内風上扁平管８１及び第２室内風下扁平管８３は空気流れ方向視において第１室内風下扁平管８２とは重ならないように配置されている。
【００８１】
室内風上扁平管８１と第１室内風下扁平管８２と第２室内風下扁平管８３とは、いずれも同じ形状及び寸法により構成されており、コストを抑えることが可能になっている。室内風上扁平管８１と第１室内風下扁平管８２と第２室内風下扁平管８３とは、それぞれ、鉛直上方を向いて上面を構成している上側扁平面８１ａ、８２ａ、８３ａと、鉛直下方を向いて下面を構成している下側扁平面８１ｂ、８２ｂ、８３ｂと、冷媒が流れる多数の小さな流路８１ｃ、８２ｃ、８３ｃと、を有している。室内風上扁平管８１と第１室内風下扁平管８２と第２室内風下扁平管８３とがそれぞれ有する複数の流路８１ｃ、８２ｃ、８３ｃは、空気流れ方向（図１０において矢印で示す。流路８１ｃ、８２ｃ、８３ｃの流路断面視における各室内風上扁平管８１、第１室内風下扁平管８２、第２室内風下扁平管８３の長手方向）に並んで設けられている。
【００８２】
（３−４）室内フィン
複数の室内フィン６０も、同様に、風上熱交換部５１ａを構成しているものと、第１風下熱交換部５１ｂを構成しているものと、第２風下熱交換部５１ｃを構成しているものと、を含んでいる。すなわち、複数の室内フィン６０は、風上熱交換部５１ａを構成している室内風上扁平管８１に対して固定されたものと、第１風下熱交換部５１ｂを構成している第１室内風下扁平管８２に対して固定されたものと、第２風下熱交換部５１ｃを構成している第２室内風下扁平管８３に対して固定されたものと、を含んでいる。各室内フィン６０は、いずれも、室内風上扁平管８１、第１室内風下扁平管８２、第２室内風下扁平管８３のそれぞれに沿うようにして、室内フィン６０の板厚方向に並べられている。
【００８３】
室内フィン６０は、風上熱交換部５１ａを構成するものも、第１風下熱交換部５１ｂを構成するものも、第２風下熱交換部５１ｃを構成するものも、いずれも同じ形状及び寸法により構成されており、コストを抑えることが可能になっている。室内フィン６０は、空気流れ方向および上下方向に広がる板状部材であり、板厚方向に所定の間隔で複数配置されており、各室内風上扁平管８１、第１室内風下扁平管８２、第２室内風下扁平管８３にそれぞれ固定されている。
【００８４】
各室内フィン６０は、主面６１、室内連通部６４、複数の風上部６５、メインスリット６２、連通位置スリット６３、等を有している。主面６１は、室内フィン６０のうち、メインスリット６２や連通位置スリット６３が設けられていない平坦部分を構成している。室内連通部６４は、室内フィン６０のうち、室内扁平管８０の風下側端部よりも更に風下側において、上下方向に連続した部分である。メインスリット６２は、室内フィン６０における伝熱性能を向上させるために平坦な主面６１から板厚方向に切り起こされて構成された部分であり、室内フィン６０のうちの各風上部６５に形成されている。メインスリット６２は、空気流れ方向に複数（本実施形態では４つ）が並ぶように形成されている。連通位置スリット６３も、室内フィン６０における伝熱性能を向上させるために平坦な主面６１のうちの室内連通部６４において板厚方向に切り起こされて構成された部分であり、各高さ位置に設けられたメインスリット６２の空気流れ方の下流側に、それぞれ対応するように設けられている。連通位置スリット６３は、その長手方向が上下方向となるように形成されており、上端が対応するメインスリット６２の上端よりもさらに高く、下端が対応するメインスリット６２の下端よりもさらに低い位置まで上下方向に長く形成されている。これらのメインスリット６２および連通位置スリット６３は、平坦な主面６１から板厚方向の同じ側に切り起こされることで、空気流れ方向上流側と下流側にそれぞれ開口を有するものである。
【００８５】
（３−５）分配ヘッダ
分配ヘッダ７０は、室内熱交換器５１のうち平面視における液側ヘッダ５６、第１ガス側ヘッダ５７および第２ガス側ヘッダ５８とは反対側の端部を構成しており、上下方向に延びた部材である。分配ヘッダ７０は、室内扁平管８０を流れた冷媒を、別の複数の室内扁平管８０に分配しながら折り返して流すことが可能となるように構成されている。
【００８６】
分配ヘッダ７０は、管板部材７１と、分配部材７２と、を有して構成されている。
【００８７】
管板部材７１は、管板７１ａと、内側壁７１ｂと、外側壁７１ｃと、を有している。管板７１ａは、その板厚方向に貫通した複数の開口を有しており、これらの各開口において室内扁平管８０が差し込まれている。管板７１ａは、差し込まれた室内扁平管８０の長手方向に対して垂直に広がった矩形の面を有しており、分配ヘッダ７０における室内扁平管８０側の壁面を構成している。管板部材７１の内側壁７１ｂは、管板７１ａの内側端部から室内扁平管８０の長手方向に沿うように延びており、分配ヘッダ７０における内側面を構成している。管板部材７１の外側壁７１ｃは、管板７１ａの外側端部から室内扁平管８０の長手方向に沿うように延びており、分配ヘッダ７０における外側面を構成している。
【００８８】
分配部材７２は、折返し壁７２ａと、上端壁７２ｂと、下端壁７２ｃと、複数の仕切板７３と、を有しており、管板部材７１に対して固定されることで内部に複数の分配空間７０ｘを形成させる。折返し壁７２ａは、管板７１ａの面と対向するようにして管板７１ａの面と平行に広がった矩形の面を有しており、分配ヘッダ７０における室内扁平管８０側とは反対側の壁面を構成している。なお、管板７１ａに差し込まれている室内扁平管８０は、折返し壁７２ａまでは達していない。上端壁７２ｂは、折返し壁７２ａの上端から管板部材７１の管板７１ａの上端縁部に向けて延びており、分配ヘッダ７０における上面を構成している。下端壁７２ｃは、折返し壁７２ａの下端から管板部材７１の管板７１ａの下端縁部に向けて延びており、分配ヘッダ７０における下面を構成している。複数の仕切板７３は、折返し壁７２ａの複数の高さ位置から室内扁平管８０側に向けて伸び出している。この複数の仕切板７３は、上端壁７２ｂと下端壁７２ｃとの間において上下に複数並ぶように設けられている。具体的には、各仕切板７３は、分配ヘッダ７０内において上下に位置する分配空間７０ｘ同士を上下方向に仕切っている。すなわち、折返し壁７２ａから伸びだした仕切板７３は、管板７１ａと、内側壁７１ｂと、外側壁７１ｃと、の全てに達するように水平に広がっている。これにより、本実施形態では、各高さ位置の分配空間７０ｘを区画する上面と下面は、いずれも空気流れ方向において同じ高さ位置において広がった平坦面となっている。
【００８９】
高さ方向に複数並ぶように設けられた分配空間７０ｘには、それぞれ、風上熱交換部５１ａを構成している室内風上扁平管８１と、第１風下熱交換部５１ｂを構成している第１室内風下扁平管８２と、第２風下熱交換部５１ｃを構成している第２室内風下扁平管８３と、とのうち対応する高さ位置に位置しているものが接続されている。これにより、分配ヘッダ７０では、異なる高さ位置の室内風上扁平管８１を流れた冷媒同士の混ざり合いを抑制しつつ、各高さ位置の室内風上扁平管８１に対応する室内風下扁平管８２と第２室内風下扁平管８３に分配しながら折り返して流すことができる。具体的には、室内熱交換器５１が冷媒の蒸発器として機能する場合には、各高さ位置の室内風上扁平管８１を流れた冷媒を、分配ヘッダ７０内で折返しつつ、対応する高さ位置の第１室内風下扁平管８２と第２室内風下扁平管８３に分配して送る。また、室内熱交換器５１が冷媒の凝縮器として機能する場合には、各対応する高さ位置の第１室内風下扁平管８２と第２室内風下扁平管８３を流れた冷媒を、室内熱交換器５１内で折返しつつ合流させて、対応する高さ位置の室内風上扁平管８１に送る。
【００９０】
なお、本実施形態では、各高さ位置の分配空間７０ｘには、同じ高さ位置に位置する室内風上扁平管８１と第２室内風下扁平管８３を１本ずつと、これらよりも低い高さ位置（これらの室内風上扁平管８１と第２室内風下扁平管８３よりも低く、これらの室内風上扁平管８１と第２室内風下扁平管８３よりも１本低い位置の室内風上扁平管８１と第２室内風下扁平管８３よりも高い位置）に位置する第１室内風下扁平管８２を１本と、が接続されている。これにより、例えば、室内熱交換器５１が冷媒の蒸発器として機能する場合には、室内風上扁平管８１から流れ出た冷媒は、分配空間７０ｘ内において、室内風上扁平管８１よりも低い位置の第１室内風下扁平管８２と、室内風上扁平管８１と同じ高さ位置の第２室内風下扁平管８３と、に分配して流れることとなる。
【００９１】
（４）空気調和装置の動作
次に、図１を用いて、空気調和装置１の動作について説明する。空気調和装置１では、圧縮機８、室外熱交換器１１、室外膨張弁１２、室内熱交換器５１の順に冷媒を流す冷房運転と、圧縮機８、室内熱交換器５１、室外膨張弁１２、室外熱交換器１１の順に冷媒を流す暖房運転と、が行われる。
【００９２】
（４−１）冷房運転
冷房運転時には、室外熱交換器１１が冷媒の放熱器となり室内熱交換器５１が冷媒の蒸発器となるように、四路切換弁１０の接続状態が切り換えられる（図１の実線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。この高圧の液冷媒は、室外膨張弁１２を通過する際に冷凍サイクルにおける低圧になるまで減圧され、気液二相状態の冷媒となって、液側閉鎖弁１３および液冷媒連絡管４を通じて、室内ユニット３に送られる。
【００９３】
低圧の気液二相状態の冷媒は、室内熱交換器５１において、冷房運転時は室内ファン５２によって加熱源として供給される室内空気と熱交換を行って蒸発する。これにより、室内熱交換器５１を通過する空気は冷却され、室内の冷房が行われる。なお、この際に、室内熱交換器５１を通過する空気に含まれる水分が凝縮することで、室内熱交換器５１の表面に結露水が生じる。室内熱交換器５１において蒸発した低圧のガス冷媒は、ガス冷媒連絡管５を通じて、室外ユニット２に送られる。
【００９４】
室外ユニット２に送られた低圧のガス冷媒は、ガス側閉鎖弁１４、四路切換弁１０およびアキュムレータ７を通じて、再び、圧縮機８に吸入される。冷房運転では、以上のようにして、冷媒が冷媒回路６を循環する。
【００９５】
（４−２）暖房運転
暖房運転時には、室外熱交換器１１が冷媒の蒸発器となり室内熱交換器５１が冷媒の放熱器となるように、四路切換弁１０の接続状態が切り換えられる（図１の破線参照）。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内ユニット３に送られる。
【００９６】
高圧のガス冷媒は、室内熱交換器５１において、室内ファン５２によって冷却源として供給される室内空気と熱交換を行って放熱して、高圧の液冷媒になる。これにより、室内熱交換器５１を通過する空気は加熱され、室内の暖房が行われる。室内熱交換器５１で放熱した高圧の液冷媒は、液冷媒連絡管４を通じて、室外ユニット２に送られる。
【００９７】
室外ユニット２に送られた高圧の液冷媒は、液側閉鎖弁１３を通じて、室外膨張弁１２において冷凍サイクルの低圧まで減圧され、低圧の気液二相状態の冷媒になる。室外膨張弁１２で減圧された低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。この低圧のガス冷媒は、四路切換弁１０およびアキュムレータ７を通じて、再び、圧縮機８に吸入される。暖房運転では、以上のようにして、冷媒が冷媒回路６を循環する。
【００９８】
（５）特徴
（５−１）
従来の室内熱交換器では、性能を高めるために空気流れ方向に複数列の伝熱管が並んで配置されているものが提案されている。このような室内熱交換器では、空気流れ方向に並んだ複数列の円筒形状の伝熱管と、列を跨ぐようにして円筒形状の伝熱管の端部同士を接続した断面円形の接続配管が用いられているものがある。そして、この接続配管は分岐した構成となっており、冷媒は当該分岐部分において分かれて流れることで分配されている。
【００９９】
ところが、伝熱管が円筒形状ではなく扁平形状の扁平管である場合については、熱交換器内において冷媒を分配させる構造がなんら検討されていない。
【０１００】
これに対して、本実施形態の室内熱交換器５１では、例えば、室内熱交換器５１が冷媒の蒸発器として機能する場合において、扁平形状の室内風上扁平管８１を流れた冷媒を、図１３において矢印で示すように、分配空間７０ｘにおいて分配させて、第１室内風下扁平管８２と第２室内風下扁平管８３とに送ることが可能になっている。このため、室内熱交換器５１において扁平形状の室内扁平管８０が用いられている場合であっても、冷媒を適切に分配して流すことが可能になっている。
【０１０１】
（５−２）
本実施形態の室内熱交換器５１では、分配空間７０ｘが室内熱交換器５１の端部に設けられているため、室内風上扁平管８１を流れた冷媒を、分配させて第１室内風下扁平管８２と第２室内風下扁平管８３とに送るだけでなく、折り返して流すことが可能になっている。
【０１０２】
（５−３）
本実施形態の室内熱交換器５１では、室内風上扁平管８１と第１室内風下扁平管８２と第２室内風下扁平管８３とを、分配ヘッダ７０に接続させるだけで、冷媒を適切に分配させて流すことが可能になっている。特に、本実施形態の分配ヘッダ７０は、高さ方向に並ぶ各室内風上扁平管８１と第１室内風下扁平管８２と第２室内風下扁平管８３に対して共通の部材（管板部材７１と分配部材７２）によって構成されているため、室内扁平管８０の端部を高さ毎に別々のＵ字管やＹ字管等の接続配管を用いて接続するような煩雑な操作を行う必要がない。
【０１０３】
（５−４）
本実施形態の室内熱交換器５１では、室内風上扁平管８１と第１室内風下扁平管８２とは、空気流れ方向視において互いに重ならない位置に配置されている。また、第１室内風下扁平管８２と第２室内風下扁平管８３も、空気流れ方向視において互いに重ならない位置に配置されている。このため、室内ファン５２によって形成された空気流れを、室内風上扁平管８１と第１室内風下扁平管８２と第２室内風下扁平管８３に対して十分に触れさせることが可能になるため、熱交換効率を高めることが可能になっている。
【０１０４】
（５−５）
本実施形態の室内熱交換器５１では、空気流れ方向に並ぶようにして複数列を構成している第１室内風下扁平管８２と第２室内風下扁平管８３とが同じ分配空間７０ｘに接続されている。このため、室内風上扁平管８１を通過した冷媒を、異なる列に位置している第１室内風下扁平管８２と第２室内風下扁平管８３とに分配させることが可能になっている。
【０１０５】
（５−６）
室内熱交換器５１が冷媒の蒸発器として機能する場合において、室内熱交換器５１を通過する空気の温度は、空気流れ方向上流側よりも下流側の方が低くなる傾向があるため、空気流れ方向の下流側に位置する第２室内風下扁平管８３よりも上流側に位置する第１室内風下扁平管８２の方が高い温度の空気に触れやすいという傾向がある。
【０１０６】
これに対して、本実施形態の室内熱交換器５１では、室内熱交換器５１が蒸発器として機能する際に、折り返された冷媒が流れ、同一の分配空間７０ｘに接続されている第１室内風下扁平管８２と第２室内風下扁平管８３とでは、第１室内風下扁平管８２の方が第２室内風下扁平管８３よりも低い高さ位置において分配ヘッダ７０に接続されている。このため、室内熱交換器５１が蒸発器として機能する際に、室内風上扁平管８１を通過した気液二相状態の冷媒のうち比重の大きな液冷媒等の冷媒は、第２室内風下扁平管８３よりも第１室内風下扁平管８２に導かれやすい。
【０１０７】
したがって、室内風上扁平管８１を通過した気液二相状態の冷媒のうち比重の大きな冷媒を、より高温の空気が通過する第１室内風下扁平管８２に対して優先的に送ることで、室内熱交換器５１全体としての熱交換効率を高めることが可能になる。
【０１０８】
（５−７）
本実施形態の室内熱交換器５１では、室内風上扁平管８１を通過する際に蒸発してガス化した冷媒が生じるが、折り返して流れる箇所には第１室内風下扁平管８２と第２室内風下扁平管８３が設けられており、室内風上扁平管８１より流路面積が大きくなっているため、室内熱交換器５１としての圧力損失を低減させることができている。
【０１０９】
（６）変形例
（６−１）変形例Ａ
上記実施形態の室内熱交換器５１では、空気流れ方向に室内扁平管８０が３列に並んで構成されたものを例に挙げて説明した。
【０１１０】
しかし、図１４に示すように、空気流れ方向に３列以上である４列に並んだ室内扁平管８０を有する室内熱交換器１５１としてもよい。すなわち、上記実施形態の室内熱交換器５１において、室内風上扁平管８１よりもさらに空気流れ方向上流側に設けられた室内風上扁平管１８１を有して構成される風上熱交換部１５１ｄを備えさせてもよい。
【０１１１】
なお、この室内扁平管８０を４列有する室内熱交換器１５１では、例えば、蒸発器として用いられる場合において、空気流れ上流側の２列の室内風上扁平管８１、１８１を流れてきた冷媒を分配空間７０ｘにおいて折返しながら空気流れ方向下流側の２列の第１室内風下扁平管８２と第２室内風下扁平管８３に分配させて流す構成とすることが好ましい。
【０１１２】
また、この室内扁平管８０を４列有する室内熱交換器１５１では、冷媒が折り返して流れることとなる複数列の室内扁平管８０のうち空気流れ方向下流側に位置する室内扁平管８０（図１４における第１室内風下扁平管８２）が、それより空気流れ方向下流側に位置する室内扁平管８０（図１４における第２室内風下扁平管８３）よりも高さ方向において低い位置に設けられていることが好ましい。この場合においても、気液二相冷媒のうち比重の大きな冷媒を、折り返された冷媒が送られる複数の室内扁平管８０のうち風上側に位置するものに効率的に導くことが可能となる。
【０１１３】
（６−２）変形例Ｂ
上記実施形態の室内熱交換器５１では、分配ヘッダ７０の各仕切板７３が水平方向に広がっており、各高さ位置の分配空間７０ｘが空気流れ方向に同じ高さ位置で広がるように構成されたものを例に挙げて説明した。
【０１１４】
しかし、図１５に示すように、分配ヘッダ７０の各仕切板２７３が、空気流れ方向における第１室内風下扁平管８２に対応する位置において下方に凹んでおり、各分配空間２７０ｘが第１室内風下扁平管８２に対応する位置において空気流れ方向の前後よりも低い位置となるように構成された室内熱交換器２５１としてもよい。
【０１１５】
この室内熱交換器２５１の分配ヘッダ７０が有する分配空間２７０ｘの形状によれば、室内風上扁平管８１を通過した冷媒が、第２室内風下扁平管８３に送られることを抑制し、より効率的に第１室内風下扁平管８２に送るように分配させることが可能になる。これにより、折り返された冷媒が、より風上側に位置する扁平管に送られやすいため、熱交換効率をさらに高めることが可能になる。
【０１１６】
（６−３）変形例Ｃ
上記実施形態の室内熱交換器５１では、分配ヘッダ７０の各仕切板７３が水平方向に広がっており、各高さ位置の分配空間７０ｘが空気流れ方向に同じ高さ位置で広がるように構成されたものを例に挙げて説明した。
【０１１７】
しかし、図１６に示すように、各高さ位置の分配空間３７０ｘにおいて、室内風上扁平管８１を通過した冷媒の一部を第１室内風下扁平管８２に導く第１流路３８２と、室内風上扁平管８１を通過した冷媒の他の一部を第２室内風下扁平管８３に導く第２流路３８３と、を有するように仕切板３７３が構成された室内熱交換器３５１としてもよい。なお、ここでは、室内風上扁平管８１と、第１室内風下扁平管８２と、第２室内風下扁平管８３とが、各高さ位置において、空気流れ方向に重なるように配置された場合を例示している。
【０１１８】
当該仕切板３７３は、第１ガイド３７３ａと第２ガイド３７３ｂを有している。第１ガイド３７３ａは、仕切板３７３の下面のうち室内風上扁平管８１と第１室内風下扁平管８２との間の部分から下方に向けて、室内風上扁平管８１や第１室内風下扁平管８２との高さ位置程度まで延び出している。第２ガイド３７３ｂは、仕切板３７３の下面のうち第１室内風下扁平管８２と第２室内風下扁平管８３との間の部分から下方に向けて、第１室内風下扁平管８２よりも下方まで延びた後、第１室内風下扁平管８２の下方を沿うように室内風上扁平管８１の手前まで延びている。なお、第１ガイド３７３ａも第２ガイド３７３ｂもいずれも、分配ヘッダ７０の管板７１ａから折返し壁７２ａまで広がっている。
【０１１９】
第１流路３８２は、第１ガイド３７３ａの下端と、第２ガイド３７３ｂの空気流れ方向上流側端部との間で形成されており、その上流側端部に第１入口８２ｘを有している。第２流路３８３は、第２ガイド３７３ｂのうち第１室内風下扁平管８２の下方を沿うように延びている部分と、さらに下方に位置する仕切板３７３の上面と、の間に形成されており、その上流側端部に第２入口８３ｘを有している。
【０１２０】
以上の構成において、室内風上扁平管８１を通過した冷媒が第１室内風下扁平管８２に向かう際に通過することとなる第１入口８２ｘは、室内風上扁平管８１を通過した冷媒が第２室内風下扁平管８３に向かう際に通過することとなる第２入口８３ｘよりも、広くなるように構成されている。これにより、室内風上扁平管８１を通過した冷媒は、より狭い第２入口８３ｘよりも、より広い第１入口８２ｘを通過しがちになるため、より効率的に第１室内風下扁平管８２に送られ、熱交換効率を高めることが可能になる。
【０１２１】
なお、本変形例Ｃでは、異なる列の室内扁平管８０が同じ高さ位置に配置されている室内熱交換器３５１を例に挙げたが、これらの高さ位置は同じでなく、空気流れ方向視において互いに重ならないように配置された部分を有していてもよい。
【０１２２】
（６−４）変形例Ｄ
上記実施形態の室内熱交換器５１では、分配ヘッダ７０の各仕切板７３が水平方向に広がっており、各高さ位置の分配空間７０ｘが空気流れ方向に同じ高さ位置で広がるように構成されたものを例に挙げて説明した。
【０１２３】
しかし、図１７に示すように、各高さ位置の分配空間４７０ｘにおいて、室内風上扁平管８１を通過した冷媒の一部を第１室内風下扁平管８２に導く第３流路４８２と、室内風上扁平管８１を通過した冷媒の他の一部を第２室内風下扁平管８３に導く第４流路４８３と、を有するように仕切板４７３が構成された室内熱交換器４５１としてもよい。なお、ここでは、室内風上扁平管８１と、第１室内風下扁平管８２と、第２室内風下扁平管８３とは、各高さ位置において、空気流れ方向に重なるように配置された場合を例示している。
【０１２４】
当該仕切板４７３は、第３ガイド４７３ａと第４ガイド４７３ｂを有している。第３ガイド４７３ａは、仕切板４７３の上面のうち室内風上扁平管８１と第１室内風下扁平管８２との間の部分から上方に向けて、室内風上扁平管８１や第１室内風下扁平管８２との高さ位置程度まで延び出している。第４ガイド４７３ｂは、仕切板４７３の上面のうち第１室内風下扁平管８２と第２室内風下扁平管８３との間の部分から上方に向けて、第１室内風下扁平管８２よりも上方まで延びた後、第１室内風下扁平管８２の上方を沿うように室内風上扁平管８１の手前まで延びている。なお、第３ガイド４７３ａも第４ガイド４７３ｂもいずれも、分配ヘッダ７０の管板７１ａから折返し壁７２ａまで広がっている。
【０１２５】
第３流路４８２は、第３ガイド４７３ａの上端と、第４ガイド４７３ｂの空気流れ方向上流側端部との間で形成されており、その上流側端部に第３入口８２ｙを有している。第４流路４８３は、第４ガイド４７３ｂのうち第１室内風下扁平管８２の上方を沿うように延びている部分と、さらに上方に位置する仕切板４７３の下面と、の間に形成されており、その上流側端部に第４入口８３ｙを有している。
【０１２６】
以上の構成において、室内風上扁平管８１を通過した冷媒が第１室内風下扁平管８２に向かう際に通過することとなる第３入口８２ｙは、室内風上扁平管８１を通過した冷媒が第２室内風下扁平管８３に向かう際に通過することとなる第４入口８３ｙよりも、低い高さ位置となるように構成されている。これにより、室内風上扁平管８１を通過した気液二相状態の冷媒のうち比重の大きな液冷媒等の冷媒は、より高い第４入口８３ｙよりも、より低い第３入口８２ｙを通過しがちになるため、より効率的に第１室内風下扁平管８２に送られ、熱交換効率を高めることが可能になる。
【０１２７】
なお、本変形例Ｄでは、異なる列の室内扁平管８０が同じ高さ位置に配置されている室内熱交換器４５１を例に挙げたが、これらの高さ位置は同じでなく、空気流れ方向視において互いに重ならないように配置された部分を有していてもよい。
【０１２８】
また、変形例Ｃと変形例Ｄの内容を組み合わせて、室内風上扁平管８１を通過した気液二相状態の冷媒のうち比重の大きな液冷媒等の冷媒をより効率的に第１室内風下扁平管８２に導くために、第３入口８２ｙを第４入口８３ｙよりも低い位置に配置しつつ第３入口８２ｙを第４入口８３ｙよりも広い構成としてもよい。この場合において、第３入口８２ｙを第４入口８３ｙより広くするためには、図１７に示す断面図において第３入口８２ｙの上下方向の幅が第４入口８３ｙの上下方向の幅よりも大きくなるように構成してもよいし、図１７に示す断面図の紙面に垂直な方向における第３入口８２ｙの上下方向の幅が第４入口８３ｙの上下方向の幅よりも大きくなるように、管板７１ａと折返し壁７２ａとの間を部分的に狭めるか介在部材を配置させるようにしてもよい。
【０１２９】
（６−５）変形例Ｅ
上記実施形態の室内熱交換器５１では、特に用いられる環境において、室内ファン５２からの供給される空気流れの風速分布を考慮しない場合を説明した。
【０１３０】
しかし、例えば、図１８に示す構造の室内熱交換器５５１としてもよい。
【０１３１】
室内熱交換器５５１は、空気流れ方向の上流側に位置する風上熱交換部５１ａを構成する風上扁平管５８１ａ、５８１ｂと、空気流れ方向の下流側に位置する第２風下熱交換部５１ｃを構成する第２風下扁平管５８３ａ、５８３ｂと、風上扁平管５８１ａ、５８１ｂと第２風下扁平管５８３ａ、５８３ｂの空気流れ方向における間に位置する第１風下熱交換部５１ｂを構成する第１風下扁平管５８２ａ、５８２ｂと、を有している。風上扁平管５８１ａ、５８１ｂは、高さ方向の上から順に並んだ、上方風上扁平管５８１ａ、下方風上扁平管５８１ｂを有している。第１風下扁平管５８２ａ、５８２ｂは、高さ方向の上から順に並んだ、上方第１風下扁平管５８２ａ、下方第１風下扁平管５８２ｂを有している。第２風下扁平管５８３ａ、５８３ｂは、高さ方向の上から順に並んだ、上方第２風下扁平管５８３ａ、下方第２風下扁平管５８３ｂを有している。
【０１３２】
以上の構成において、分配ヘッダ７０は、メイン仕切部５７３ａおよびサブ仕切部５７３ｂを有する仕切板５７３を備えている。メイン仕切部５７３ａは、上下に並んだ複数（ここでは２つ）の室内扁平管８０である、上方風上扁平管５８１ａと下方風上扁平管５８１ｂと、上方第１風下扁平管５８２ａと下方第１風下扁平管５８２ｂと、上方第２風下扁平管５８３ａと下方第２風下扁平管５８３ｂと、を上下に仕切るように水平に広がっている。サブ仕切部５７３ｂは、メイン仕切部５７３ａの下面のうち上方第１風下扁平管５８２ａと上方第２風下扁平管５８３ａとの間の部分から下方に向けて、下方第１風下扁平管５８２ｂよりも下方まで延びた後、下方第１風下扁平管５８２ｂの下方を沿うように風上側に延びている。さらに、サブ仕切部５７３ｂは、下方風上扁平管５８１ｂと下方第１風下扁平管５８２ｂとの間を上方に延びた後、下方風上扁平管５８１ｂの上方を風上側に向けて内側壁７１ｂに至るまで延びている。なお、メイン仕切部５７３ａおよびサブ仕切部５７３ｂは、いずれも管板７１ａ側から折返し壁７２ａに至るまで広がっている。
【０１３３】
以上のメイン仕切部５７３ａおよびサブ仕切部５７３ｂによる仕切りによって、分配ヘッダ７０内は、上方風上扁平管５８１ａと上方第１風下扁平管５８２ａと下方第１風下扁平管５８２ｂとが存在する第１分配空間８２ｚと、下方風上扁平管５８１ｂと上方第２風下扁平管５８３ａと下方第２風下扁平管５８３ｂとが存在する第２分配空間８３ｚと、に仕切られている。ここで、上方風上扁平管５８１ａが接続されている第１分配空間８２ｚに接続されている第１風下熱交換部５１ｂに属する室内扁平管８０の本数（ここでは、上方第１風下扁平管５８２ａと下方第１風下扁平管５８２ｂの２本）は、下方風上扁平管５８１ｂが接続されている第２分配空間８３ｚに接続されている第１風下熱交換部５１ｂに属する室内扁平管８０の本数（ここでは０本）よりも多い。
【０１３４】
本変形例Ｅの室内熱交換器５５１は、図１８において矢印の大きさを違えて示すように、上方部分において風速が小さく下方部分において風速が大きい空気流れが供給される環境下で用いられる。なお、このような風速分布を有する空気流れは、特に限定されるものではなく、空気流れの途中における空気の通過抵抗となるものの有無により風速分布が形成されたものであってもよいし、室内ファン５２からの距離に応じて風速分布が形成されたものであってもよい。
【０１３５】
以上の構成において、室内熱交換器５５１のうち、上方風上扁平管５８１ａでは下方風上扁平管５８１ｂよりも空気流れの流速が遅い。このため、上方風上扁平管５８１ａでは、下方風上扁平管５８１ｂよりも熱交換効率が低く、例えば、室内熱交換器５５１が冷媒の蒸発器として用いられる場合には、上方風上扁平管５８１ａを通過した冷媒は、下方風上扁平管５８１ｂを通過した冷媒よりも蒸発が不十分であり、液冷媒の割合が多くなりがちである。
【０１３６】
これに対して、室内熱交換器５５１では、例えば、室内熱交換器５５１が冷媒の蒸発器として用いられる場合において、上方風上扁平管５８１ａを通過した冷媒は、第１分配空間８２ｚを介して上方第１風下扁平管５８２ａと下方第１風下扁平管５８２ｂに分配され、下方風上扁平管５８１ｂを通過した冷媒は、第２分配空間８３ｚを介して上方第２風下扁平管５８３ａと下方第２風下扁平管５８３ｂに分配される。そして、蒸発器として機能する室内熱交換器５５１を通過する空気の温度は、上方第１風下扁平管５８２ａと下方第１風下扁平管５８２ｂを通過する部分の温度の方が、上方第２風下扁平管５８３ａと下方第２風下扁平管５８３ｂを通過する部分の温度よりも高くなりがちである。したがって、風速が比較的小さい箇所に位置する上方風上扁平管５８１ａを通過した冷媒は、蒸発が不十分であり、液冷媒の割合が多くなりがちではあるが、より高温の空気が供給される上方第１風下扁平管５８２ａと下方第１風下扁平管５８２ｂに供給されることで、十分に蒸発させることが可能になる。他方で、風速が比較的大きな箇所に位置する下方風上扁平管５８１ｂを通過した冷媒は、蒸発が十分であり、液冷媒の割合が少ないため、比較的低温の空気が供給される上方第２風下扁平管５８３ａと下方第２風下扁平管５８３ｂに供給されたとしてもかまわない。
【０１３７】
これにより、上方風上扁平管５８１ａと下方風上扁平管５８１ｂとで通過する空気の風速が異なっていても、第１分配空間８２ｚを介して上方第１風下扁平管５８２ａと下方第１風下扁平管５８２ｂを通過した冷媒と、第２分配空間８３ｚを介して上方第２風下扁平管５８３ａと下方第２風下扁平管５８３ｂを通過した冷媒の状態を近づけることが可能になる。
【０１３８】
なお、以上の第１分配空間８２ｚと第２分配空間８３ｚを有する分配ヘッダ７０内の構成は、室内熱交換器の全ての高さ位置で採用されている必要は無く、例えば、室内熱交換器における上端または下端等の一部において風速分布が生じている場合には当該部分のみにおいて採用されるようにしてもよい。
【０１３９】
（６−６）変形例Ｆ
上記実施形態では、室内熱交換器５１において空気流れ方向に複数列の室内扁平管８０が配置されており、室外熱交換器１１においては空気流れ方向に１列だけの室外扁平管９０が配置されている場合を例に挙げて説明した。
【０１４０】
これに対して、室外熱交換器１１においても、上述の室内熱交換器５１と同様に、室外扁平管９０が空気流れ方向に複数列並んで配置された構成としてもよい。
【０１４１】
以上、本開示の実施形態及び変形例を説明したが、特許請求の範囲に記載された本開示の趣旨及び範囲から逸脱することなく、形態や詳細の多様な変更が可能なことが理解されるであろう。
【符号の説明】
【０１４２】
１  空気調和装置
２  室外ユニット
３  室内ユニット
１１  室外熱交換器
５１  室内熱交換器
５１ａ  風上熱交換部
５１ｂ  第１風下熱交換部
５１ｃ  第２風下熱交換部
５２  室内ファン（ファン）
５５  室内扁平管
５５ｃ  流路
５６  液側ヘッダ
５７  第１ガス側ヘッダ
５８  第２ガス側ヘッダ
６０  室内フィン
６４  室内連通部
７０  分配ヘッダ（ヘッダ、空間形成部材）
７０ｘ  分配空間
７１  管板部材
７２  分配部材
７３  仕切板（空間形成部材）
８０  室内扁平管
８１  室内風上扁平管
８２  第１室内風下扁平管
８２ｙ  第３入口
８２ｚ  第１分配空間
８３  第２室内風下扁平管
８３ｙ  第４入口
８３ｚ  第２分配空間
９０  室外扁平管
９０ｃ  流路
９１  室外フィン
１５１  室内熱交換器
２５１  室内熱交換器
２７０ｘ  分配空間
２７３  仕切板（空間形成部材）
３５１  室内熱交換器
３７０ｘ  分配空間
３７３  仕切板（空間形成部材）
３８２  第１流路（第１連通路）
３８３  第２流路（第２連通路）
４５１  室内熱交換器
４７０ｘ  分配空間
４７３  仕切板（空間形成部材）
４８２  第３流路（第１連通路）
４８３  第４流路（第２連通路）
５５１  室内熱交換器
５７３ａ  メイン仕切部（空間形成部材）
５７３ｂ  サブ仕切部（空間形成部材）
５８１ａ  上方風上扁平管（第１上流側扁平管）
５８１ｂ  下方風上扁平管（第２上流側扁平管）
５８２ａ  上方第１風下扁平管（下流側扁平管）
５８２ｂ  下方第１風下扁平管（下流側扁平管）
５８３ａ  上方第２風下扁平管（下流側扁平管）
５８３ｂ  下方第２風下扁平管（下流側扁平管）
【先行技術文献】
【特許文献】
【０１４３】
特許文献１：国際公開第２０１０／１４６８５２号
【図１】
2019128041.tif 000003
【図２】
2019128041.tif 000004
【図３】
2019128041.tif 000005
【図４】
2019128041.tif 000006
【図５】
2019128041.tif 000007
【図６】
2019128041.tif 000008
【図７】
2019128041.tif 000009
【図８】
2019128041.tif 000010
【図９】
2019128041.tif 000011
【図１０】
2019128041.tif 000012
【図１１】
2019128041.tif 000013
【図１２】
2019128041.tif 000014
【図１３】
2019128041.tif 000015
【図１４】
2019128041.tif 000016
【図１５】
2019128041.tif 000017
【図１６】
2019128041.tif 000018
【図１７】
2019128041.tif 000019
【図１８】
2019128041.tif 000020